(57)【要約】【課題】駆動力源から伝達トルク制御装置に伝達されるトルクの増加を抑制することのできる車両の駆動装置を提供する。【解決手段】駆動力源１の動力を、モータ・ジェネレータ６と車輪１７とに分配する動力分配装置１０が設けられている車両の駆動装置において、動力分配装置１０からモータ・ジェネレータ６に至る動力の伝達経路に、伝達トルク制御装置１５が設けられている。【選択図】  図１
2004322761.tif 000002
【特許請求の範囲】
【請求項１】
駆動力源の動力を、モータ・ジェネレータと車輪とに分配する動力分配装置が設けられている車両の駆動装置において、
前記動力分配装置からモータ・ジェネレータに至る動力の伝達経路に、伝達トルク制御装置が設けられていることを特徴とする車両の駆動装置。
【請求項２】
前記動力分配装置から車輪に至る動力伝達経路に発電機が設けられており、車両の走行にともなう運動エネルギを車輪から発電機に伝達して、前記運動エネルギを前記発電機により電気エネルギに変換する場合は、前記伝達トルク制御装置のトルク容量を低下させるトルク制御手段を備えていることを特徴とする請求項１に記載の車両の駆動装置。
【請求項３】
前記伝達トルク制御装置は、伝達可能なトルクを所定値以下に制限する機能を備えていることを特徴とする請求項１または２に記載の車両の駆動装置。
【発明の詳細な説明】
【０００１】
【発明の属する技術分野】
この発明は、駆動力源の動力を、モータ・ジェネレータおよび車輪に分配することの可能な車両の駆動装置に関するものである。
【０００２】
【従来の技術】
従来、駆動力源の動力を、モータ・ジェネレータおよび車輪に分配することの可能な車両の駆動装置が知られており、この車両の駆動装置の一例が、下記の特許文献１に記載されている。
【０００３】
この特許文献１に記載されたハイブリッド車は、エンジントルクが、遊星歯車機構および減速機構を経由して駆動輪に伝達される構成となっている。遊星歯車機構は、サンギヤ、リングギヤ、キャリヤを有している。前記サンギヤには発電モータが連結されているとともに、リングギヤが駆動輪に連結されている。さらに、電動モータのトルクが駆動輪に伝達される構成となっている。一方、エンジンと遊星歯車機構のキャリヤとの間には、ハイブリッド装置用ダンパが設けられている。このハイブリッド装置用ダンパは、エンジンの出力軸に連結された第１回転部材と、遊星歯車機構を介して電動モータに連結する第２回転部材とを有する。また、ハイブリッド装置用ダンパは、第１回転部材と第２回転部材との間の変動トルクが所定値に達すると、動力の伝達を遮断するリミッタ機構を備えている。
【０００４】
そして、エンジンのみが駆動した場合、第１回転部材と第２回転部材との間の変動トルクが所定値より小さい範囲内においては、エンジントルクが、ハイブリッド装置用ダンパおよび遊星歯車機構を経由して駆動輪に伝達される。このときサンギヤも回転させられて発電モータが発電し、その電力がバッテリに充電される。さらに、エンジントルクが大きくなり、第１回転部材と第２回転部材との間の変動トルクが所定値に達すると、ハイブリッド装置用ダンパは、所定値以上の変動トルクを伝達しなくなる。なお、トルク容量を制御することの可能な発進クラッチを有する電動機付き車両の一例が、下記の特許文献２に記載されている。
【０００５】
【特許文献１】
特開２００２−１３５４７号公報（特許請求の範囲、段落番号００１０ないし段落番号００１８、図１ないし図３）
【特許文献２】
特開２０００−２２４７１４号公報
【０００６】
【発明が解決しようとする課題】
しかしながら、特許文献１に記載されている車両においては、駆動力源のトルク変動にともない、動力伝達系統で共振が発生した場合に、リミッタ機構に入力されるトルクが大きくなるという問題があった。
【０００７】
この発明は上記の事情を背景としてなされたものであり、駆動力源から伝達トルク制御装置に伝達されるトルクを小さくすることのできる車両の駆動装置を提供することを目的としている。
【０００８】
【課題を解決するための手段およびその作用】
上記の目的を達成するために、請求項１の発明は、駆動力源の動力を、モータ・ジェネレータと車輪とに分配する動力分配装置が設けられている車両の駆動装置において、前記動力分配装置からモータ・ジェネレータに至る動力の伝達経路に、伝達トルク制御装置が設けられていることを特徴とする発明である。
【０００９】
請求項１に係る発明によれば、駆動力源の動力は、動力分配装置によりモータ・ジェネレータと車輪とに分配されるため、駆動力源から動力分配装置に伝達されるトルクに比べて、動力分配装置から伝達トルク制御装置に伝達されるトルクの方が小さくなる（低くなる）。
【００１０】
請求項２の発明は、請求項１の構成に加えて、前記動力分配装置から車輪に至る動力伝達経路に発電機が設けられており、車両の走行にともなう運動エネルギを車輪から発電機に伝達して、前記運動エネルギを前記発電機により電気エネルギに変換する場合は、前記伝達トルク制御装置のトルク容量を低下させるトルク制御手段を備えていることを特徴とする発明である。
【００１１】
請求項２の発明によれば、請求項１の発明と同様の作用が生じる他に、車両の走行にともなう運動エネルギを車輪から発電機に伝達して、運動エネルギを発電機により電気エネルギに変換する場合は、伝達トルク制御装置のトルク容量が低下される。車両の走行にともなう運動エネルギが、駆動力源の回転速度を低下させることに消費されることが抑制される。
【００１２】
請求項３の発明は、請求項１または２の構成に加えて、前記伝達トルク制御装置は、伝達可能なトルクを所定値以下に制限する機能を備えていることを特徴とする発明である。
【００１３】
請求項３の発明によれば、請求項１または２の発明と同様の作用が生じる他に、所定値以下のトルクは伝達トルク制御装置により伝達され、所定値を越えるトルクは伝達トルク制御装置によりされない。
【００１４】
【発明の実施の形態】
つぎに、この発明を図面を参照しながら具体的に説明する。図１は、Ｆ・Ｒ（フロントエンジン・リヤドライブ；エンジン前置き後輪駆動）形式のハイブリッド車（以下、「車両」と略記する）Ｖｅの概略構成図である。図１において、車両Ｖｅは、第１の駆動力源としてのエンジン１を有している。このエンジン１としては内燃機関、具体的にはガソリンエンジン、ディーゼルエンジン、ＬＰＧエンジンなどを用いることができる。このエンジン１のクランクシャフト２には、ダンパ機構３およびインプットシャフト４が連結されている。このダンパ機構３はコイルばね３Ａを有し、インプットシャフト４の回転軸線を中心とする円周上で、円周方向にコイルばね３Ａが伸縮可能である。
【００１５】
また、ケーシング５が設けられており、ケーシング５の内部には、モータ・ジェネレータ（ＭＧ１）６およびモータ・ジェネレータ（ＭＧ２）７が設けられている。このモータ・ジェネレータ６およびモータ・ジェネレータ７は、電気エネルギを運動エネルギに変換する力行機能と、運動エネルギを電気エネルギに変換する回生機能とを有している。モータ・ジェネレータ６は、ステータ８およびロータ９を有しており、ステータ８はケーシング５に固定されている。さらに、モータ・ジェネレータ６，７には、電気回路を介して電池（図示せず）が接続されて、モータ・ジェネレータ６，７と電池との間で、電力の授受が可能となっている。この電池としては、二次電池または燃料電池などを用いることが可能である。二次電池としては、バッテリ、キャパシタなどが挙げられる。
【００１６】
また、ケーシング５の内部には、動力分配装置１０が設けられている。具体的には、インプットシャフト４の軸線方向において、モータ・ジェネレータ６とモータ・ジェネレータ７との間に、動力分配装置１０が配置されている。この動力分配装置１０は、いわゆるシングルピニオン形式の遊星歯車機構により構成されている。すなわち、動力分配装置１０は、サンギヤ１１と、サンギヤ１１と同心状に配置されたリングギヤ１２と、サンギヤ１１およびリングギヤ１２に噛合するピニオンギヤ１３を保持したキャリヤ１４とを有している。そして、インプットシャフト４とキャリヤ１４とが一体回転するように連結されている。また、インプットシャフト４はロータ９と相対回転可能であり、ロータ９と、サンギヤ１１との間の動力伝達経路には、クラッチ１５が配置されている。この実施例においては、クラッチ１５として摩擦式クラッチが用いられている。なお、インプットシャフト４の回転軸線方向におけるクラッチ１５の配置位置は、図１の実施例では、モータ・ジェネレータ６と動力分配装置１０との間となっている。
【００１７】
一方、前記リングギヤ１２にはアウトプットシャフト１６が連結されているとともに、アウトプットシャフト１６と車輪１７とが動力伝達可能に連結されている。このアウトプットシャフト１６および前記クランクシャフト２およびインプットシャフト４の回転軸線（図示せず）は、車両Ｖｅの前後方向に配置されている。前記モータ・ジェネレータ７は、ステータ１８およびロータ１９を有している。また、ステータ１８はケーシング５に固定され、ロータ１９はアウトプットシャフト１６に連結されている。
【００１８】
つぎに、車両Ｖｅの制御系統を説明する。まず、電子制御装置２０が設けられており、電子制御装置２０には、車速、加速要求、制動要求、エンジン回転速度、エンジン１の始動要求、発電要求などの信号が入力される。電子制御装置２０からは、エンジン１を制御する信号、モータ・ジェネレータ６を制御する信号、モータ・ジェネレータ７を制御する信号、油圧制御装置２１を制御する信号が出力される。油圧制御装置２１は、油圧回路、各種のバルブおよびソレノイドバルブを有しており、この油圧制御装置２２により、クラッチ１５の係合圧、言い換えればトルク容量が制御される。
【００１９】
つぎに、車両Ｖｅの制御について説明する。まず、車両Ｖｅが停止している際に、エンジン１を始動する場合について説明する。この場合は、電池（図示せず）からモータ・ジェネレータ６に電力を供給して、モータ・ジェネレータ６を電動機として駆動させるとともに、クラッチ１５の係合圧を高める。すると、リングギヤ１２が反力要素となり、モータ・ジェネレータ６のトルクが、サンギヤ１１、キャリヤ１４、インプットシャフト４を経由してエンジン１に伝達されて、エンジン１がクランキングされる。ここで、エンジン１がガソリンエンジンであれば、燃料噴射制御および点火制御がおこなわれて、エンジン１が自律回転可能な状態となる。エンジン１が自律回転可能な状態となった場合は、モータ・ジェネレータ６のトルクにより、エンジン１をクランキングする制御が終了される。
【００２０】
このようにして、エンジン１が始動されると、エンジントルクは、動力分配装置１０およびアウトプットシャフト１６を経由して車輪１７に伝達される。エンジントルクが変動した場合は、ダンパ機構３でコイルばね３Ａが伸縮することにより、トルク変動が吸収もしくは緩和され、トルク変動に伴う動力伝達系の振動、および振動に起因する騒音を抑制することが可能である。
【００２１】
また、エンジントルクの一部を動力分配装置１０を経由させてモータ・ジェネレータ６に伝達し、モータ・ジェネレータ６を発電機として起動させ、発生した電力を二次電池に蓄電することも可能である。なお、図１に示す車両Ｖｅにおいては、モータ・ジェネレータ７を電動機として駆動させ、モータ・ジェネレータ７のトルクを車輪１７に伝達することも可能である。このように、車両Ｖｅは、エンジン１またはモータ・ジェネレータ７のうち、少なくとも一方のトルクを車輪１７に伝達することの可能なハイブリッド車である。
【００２２】
ところで、エンジン１を始動する場合に、前述のように燃料噴射制御が実行され、かつ、燃料が燃焼してエンジン１の回転変動が生じると、エンジン１の回転変動は、ダンパ機構３により完全に消滅されるわけではなく、インプットシャフト４およびモータ・ジェネレータ６のロータ９を含む動力伝達系で共振が生じる可能性がある。この場合は、クラッチ１５の係合圧、より具体的には油圧を制御することにより、クラッチ１５のトルク容量を任意に制御して、インプットシャフト４からモータ・ジェネレータ６のロータ９に所定値以上のトルクが伝達されないように制御することにより、動力伝達系の固有振動数を調整し、共振を抑制することができる。このように、クラッチ１５はトルクリミッタとしての機能を有している。
【００２３】
また、この実施例においては、インプットシャフト４に動力分配装置１０が連結されており、共振による荷重の変動は、動力分配装置１０を構成するプラネタリギヤの各要素に分散される。つまり、エンジン１から動力分配装置１０に伝達されるトルクに比べて、動力分配装置１０からクラッチ１５に入力されるトルクの方が小さく（低く）なる。このため、インプットシャフト４から動力分配装置１０を経由してクラッチ１５に伝達されるトルクの変動を、可及的に抑制することができる。したがって、従来のように、トルクリミッタをエンジンとダンパ機構との間の経路に配置した比較例と、この実施例とを比較した場合、この実施例のクラッチ１５の方が小型な構成とすることができる。
【００２４】
さらに、この実施例によれば、ダンパ機構３の外周にトルクリミッタが配置されないため、ダンパ機構３のコイルばね３Ａを配置する円の半径を大径化することが可能となる。したがって、コイルばね３Ａの伸縮ストロークを可及的に長く設計すること、またはコイルばね３Ａのばね定数を小さく設計することなど、ダンパ機構３の設計自由度が拡大する。したがって、ダンパ機構３の振動抑制性能および騒音抑制性能を向上させることが可能となる。
【００２５】
さらにまた、クラッチ１５に加えられる係合圧、より具体的には油圧を制御することにより、クラッチ１５のトルク容量を任意に制御することができる。したがって、インプットシャフト４からモータ・ジェネレータ６のロータに伝達されるトルクの上限値を調整することが可能である。このため、クラッチ１５を構成する摩擦材の摩擦係数、経時変化などに起因して変動する“トルクの上限値”のバラツキを抑制することができ、インプットシャフト４および動力分配装置１０を構成する部品の剛性もしくは強度を高めずに済む。したがって、インプットシャフト４および動力分配装置１０を可及的に小型化および軽量化することが可能となる。
【００２６】
一方、加速要求が低下して、車両Ｖｅが惰力走行する場合は、車両Ｖｅの運動エネルギを、車輪１７からアウトプットシャフト１６を経由してモータ・ジェネレータ７に伝達するとともに、モータ・ジェネレータ７を発電機として機能させて運動エネルギを電気エネルギに変換し、発生した電力を二次電池（図示せず）に充電することも可能である。このように、運動エネルギを電気エネルギに変換する回生制御を実行する場合の制御例を、図２に基づいて説明する。すなわち、回生制御を実行し（ステップＳ１）、かつ、クラッチ１５のトルク容量を低下させる制御、具体的には、クラッチ１５を解放させる制御を実行し（ステップＳ２）、図２に示す制御ルーチンを終了する。
【００２７】
この図２の制御を実行すると、モータ・ジェネレータ７の回生制動力でアウトプットシャフト１６の回転速度の上昇を抑制する場合に、動力分配装置１０のサンギヤの回転が許容されるため、キャリヤ１４の回転速度を低下させる向きの力が生じることを防止できる。したがって、この力に対する反力がエンジン１で生じること、言い換えればエンジンブレーキ力が強められることを防止でき、運動エネルギをモータ・ジェネレータ７で電気エネルギに変換する効率の低下を抑制することが可能となる。
【００２８】
ここで、実施例の構成とこの発明の構成との対応関係を説明すれば、エンジン１が、この発明の駆動力源に相当し、モータ・ジェネレータ６が、この発明のモータ・ジェネレータに相当し、クラッチ１５が、この発明の伝達トルク制御装置に相当し、モータ・ジェネレータ７が、この発明の発電機に相当する。また、図２に示す機能的手段と、この発明の構成との対応関係を説明すれば、ステップＳ１，Ｓ２が、この発明のトルク制御手段に相当する。なお、この実施例において、伝達トルク制御装置として、前述の摩擦式クラッチの他に、電磁式クラッチ、流体式クラッチなどを用いることも可能である。この実施例における伝達トルク制御装置として、上記のクラッチを用いた場合は、トルク容量の上限値を、アクチュエータにより調整または制御または変更することが可能である。
【００２９】
また、伝達トルク制御装置として、トルク容量の上限値が所定値に固定され、トルク容量の上限値を調整もしくは制御することが不可能な装置、例えば、トルクリミッタを用いることも可能である。なお、伝達トルク制御装置として、各種のクラッチまたはトルクリミッタのいずれを用いた場合でも、伝達可能なトルクが所定値以下に制限され、所定値を越えるトルクは伝達されない。さらに、この実施例をＦ・Ｆ（フロントエンジン・フロントドライブ）車両に適用することも可能である。この場合、クランクシャフト２およびインプットシャフト４の回転軸線が、車両の幅方向に配置される。さらに、動力分配装置は、シングルピニオン式の遊星歯車機構に代えて、ダブルピニオン式の遊星歯車機構を用いることも可能である。
【００３０】
つぎに、この実施例に記載された特徴的な構成を記載すれば、以下のとおりである。すなわち、内燃機関の動力を、モータ・ジェネレータと車輪とに分配する動力分配装置が設けられているとともに、モータ・ジェネレータのトルクにより内燃機関をクランキングすることの可能な車両の駆動装置において、前記動力分配装置からモータ・ジェネレータに至る動力の伝達経路に、伝達トルク制御装置が設けられていることを特徴とする車両の駆動装置である。
【００３１】
【発明の効果】
以上説明したように請求項１の発明によれば、駆動力源から、動力分配装置を経由して伝達トルク制御装置に伝達されるトルクの増加を抑制することができる。したがって、伝達トルク制御装置の大型化を抑制することができる。
【００３２】
請求項２の発明によれば、請求項１の発明と同様の効果を得ることができる他に、車両の走行にともなう運動エネルギを車輪から発電機に伝達して、運動エネルギを発電機により電気エネルギに変換する場合に、伝達トルク制御装置のトルク容量を低下することにより、発電効率の低下を抑制することができる。
【００３３】
請求項３の発明によれば、請求項１または２の発明と同様の効果を得ることができる他に、所定値以下のトルクを伝達トルク制御装置により伝達することが可能であり、所定値を越えるトルクは伝達トルク制御装置によりされない。
【図面の簡単な説明】
【図１】この発明を適用した車両の駆動装置の構成例を示す概念図である。
【図２】図１の車両で実行される制御例を示すフローチャートである。
【符号の説明】
１…エンジン、  ６，７…モータ・ジェネレータ、  １０…動力分配装置、  １５…クラッチ、  １７…車輪、  Ｖｅ…車両。
【図１】
2004322761.tif 000003
【図２】
2004322761.tif 000004